(57)【特許請求の範囲】
【請求項１】
粘着面が表側になるように多重に巻回された粘着テープロールを回転可能に支持する支持部と、手によって把持されるグリップとを上記粘着テープロールの軸線方向に沿って一体に備えるクリーナー本体と、不使用時に上記粘着テープの最外層の粘着面を覆うように装着されるスリーブケースとを有する粘着式クリーナーにおいて、
上記スリーブケースは、一端が開放され、他端が少なくとも上記グリップを挿通可能なグリップ挿通孔を有し、上記グリップ挿通孔の周縁には、上記スリーブケースを上記クリーナー本体に係止するための係止手段を備えているとともに、
上記クリーナー本体には、上記グリップ側から差し込まれる上記スリーブケースを上記係止手段と協働して保持する第１ストッパと、上記支持部側から差し込まれる上記スリーブケースを上記係止手段と協働して保持する第２ストッパとを備えていることを特徴とする粘着式クリーナー。
【請求項２】
上記第１ストッパは、上記支持部と上記グリップの付け根部に形成され、上記グリップ挿通孔内に回転可能に挿通される第１円筒面と、上記第１円筒面から突設された第１係止リブとを有し、上記第２ストッパは、上記支持部の反グリップ側の端部に突設され、上記グリップ挿通孔内に回転可能に挿通される第２円筒面と、上記第２円筒面から突設された第２係止リブとを有し、上記グリップ挿通孔の周縁には、上記係止手段として上記第１および第２係止リブが通過可能な大きさを有する切欠部が少なくとも１つ設けられていることを特徴とする請求項１に記載の粘着式クリーナー。
【請求項３】
上記グリップ挿通孔の周縁にはさらに、一対の係止凸部が上記係止リブの回転軌跡上に設けられており、上記係止凸部の間に上記各ストッパーが係止される係止凹部が設けられていることを特徴とする請求項２に記載の粘着式クリーナー。
【請求項４】
上記係止凸部は、上記切欠部から上記係止凹部に向かうにつれ、高さが漸次が高くなる傾斜面を備えていることを特徴とする請求項３に記載の粘着式クリーナー。
【請求項５】
上記第２円筒面は、先端から支持部に向かって漸次外径が大きくなるテーパー面が設けられていることを特徴とする請求項２，３または４に記載の粘着式クリーナー。
【請求項６】
上記スリーブケースには、上記クリーナー本体を倒立した状態で保持する脚部が設けられていることを特徴とする請求項１ないし５のいずれか１項に記載の粘着式クリーナー。
【請求項７】
上記スリーブケースの外周面の一部に平坦部を設けたことを特徴とする請求項１ないし６のいずれか１項に記載の粘着式クリーナー。
【発明の詳細な説明】
【技術分野】
【０００１】
本発明は、粘着テープの粘着面が表側を向くように巻回された粘着テープロールを使って、被清掃面上のゴミを補足する粘着式クリーナーに関し、さらに詳しく言えば、不使用時に粘着テープロールの粘着面をカバーするスリーブケースを備えた粘着式クリーナー二関する。
【背景技術】
【０００２】
粘着式クリーナーは、片面粘着テープの粘着面が表側を向くようにロール状に巻回した粘着テープロールを専用の治具（クリーナー本体）に装着して、粘着面を床などの被清掃面に接触させながら転がすことにより、被清掃面上のゴミを粘着面で捕らえる清掃具である。
【０００３】
その形状は種々であるが、衣服に付着したゴミを捕らえるなどの簡易タイプの粘着式クリーナーとして、例えば特許文献１がある。この粘着式クリーナーは、粘着テープロールを回転可能に支持する支持部と、同支持部の一端に軸線方向に沿って一体的に形成されたグリップとを備え、使用者はグリップを把持して、衣服などに粘着面を押し当てることができる。
【０００４】
この清掃式クリーナーは、不使用時に粘着面を保護するために、粘着テープロールを覆い隠す保護ケースが設けられているものがある。一般に、保護ケースは、２つのカバーメンバーをヒンジなどで開閉可能に連結して粘着テープロールを挟んで覆う開閉式カバーと、円筒状に形成されたカバーの一端を開放し、そこに粘着テープロールを差し込む差込式カバー（スリーブケース）の２タイプが主流となっている。
【０００５】
しかしながら、特許文献１のような差込式カバーには、次のような問題があった。すなわち、従来のスリーブケースは、一端が開放され、他端にグリップを挿通するグリップ挿通孔を設けて、グリップ側からスリーブケースを差し込んでいた。また、グリップと支持部の付け根に凸部を設けて、凸部によってスリーブケースの抜け落ちを防止していた。
【０００６】
しかしながら、スリーブケースを取り外すために、一方の手でグリップを把持しながら、他方の手でスリーブケースをグリップ手前に引き出すと、凸部との係合が勢いよく外れた場合、スリーブケースがグリップを掴んでいる指に当たって痛みや怪我をするおそれがあった。
【０００７】
これを防止する手法の１つとして、スリーブケースを反グリップ側から差し込むことも考えられるが、商品展示など長期間保管する場合、グリップ側からスリーブケースを取り付けた方が安定性がよいため好ましい。
【０００８】
【特許文献１】登録意匠第１２４１５６２号公報
【発明の開示】
【発明が解決しようとする課題】
【０００９】
そこで、本発明は上述した課題を解決するためになされたものであって、その目的は、スリーブケースの差込方向を使用状況に応じて任意に変えることができる粘着式クリーナーを提供することにある。
【課題を解決するための手段】
【００１０】
上述した目的を達成するため、本発明は以下に示すいくつかの特徴を備えている。請求項１に記載の発明は、粘着面が表側になるように多重に巻回された粘着テープロールを回転可能に支持する支持部と、手によって把持されるグリップとを上記粘着テープロールの軸線方向に沿って一体に備えるクリーナー本体と、不使用時に上記粘着テープの最外層の粘着面を覆うように装着されるスリーブケースとを有する粘着式クリーナーにおいて、上記スリーブケースは、一端が開放され、他端が少なくとも上記グリップを挿通可能なグリップ挿通孔を有し、上記グリップ挿通孔の周縁には、上記スリーブケースを上記クリーナー本体に係止するための係止手段を備えているとともに、上記クリーナー本体には、上記グリップ側から差し込まれる上記スリーブケースを上記係止手段と協働して保持する第１ストッパと、上記支持部側から差し込まれる上記スリーブケースを上記係止手段と協働して保持する第２ストッパとを備えていることを特徴としている。
【００１１】
請求項２に記載の発明は、上記請求項１において、上記第１ストッパは、上記支持部と上記グリップの付け根部に形成され、上記グリップ挿通孔内に回転可能に挿通される第１円筒面と、上記第１円筒面から突設された第１係止リブとを有し、上記第２ストッパは、上記支持部の反グリップ側の端部に突設され、上記グリップ挿通孔内に回転可能に挿通される第２円筒面と、上記第２円筒面から突設された第２係止リブとを有し、上記グリップ挿通孔の周縁には、上記係止手段として上記第１および第２係止リブが通過可能な大きさを有する切欠部が少なくとも１つ設けられていることを特徴としている。
【００１２】
請求項３に記載の発明は、上記請求項２において、上記グリップ挿通孔の周縁にはさらに、一対の係止凸部が上記係止リブの回転軌跡上に設けられており、上記係止凸部の間に上記各ストッパーが係止される係止凹部が設けられていることを特徴としている。
【００１３】
請求項４に記載の発明は、上記請求項３において、上記係止凸部は、上記切欠部から上記係止凹部に向かうにつれ、高さが漸次が高くなる傾斜面を備えていることを特徴としている。
【００１４】
請求項５に記載の発明は、上記請求項２，３または４において、上記第２円筒面は、先端から支持部に向かって漸次外径が大きくなるテーパー面が設けられていることを特徴としている。
【００１５】
請求項６に記載の発明は、上記請求項１ないし５のいずれか１項において、上記スリーブケースには、上記クリーナー本体を倒立した状態で保持する脚部が設けられていることを特徴としている。
【００１６】
請求項７に記載の発明は、上記請求項１ないし６のいずれか１項において、上記スリーブケースの外周面の一部に平坦部を設けたことを特徴としている。
【発明の効果】
【００１７】
請求項１に記載の発明によれば、クリーナー本体のグリップ側からでも、支持部側からでもスリーブケースを取り付けることができるため、商品陳列時（出荷時）や長期保管時には、スリーブケースをグリップ側から差し込んで保管でき、一時的な保管には、スリーブケースを支持部側から差し込んで保管することができる。
【００１８】
請求項２に記載の発明によれば、スリーブケースをグリップ側と支持部側の両側から保持させることができ、各ストッパに設けられた係止リブをスリーブケースの切欠部を通して所定方向に回転させるだけで、簡単にスリーブケースをクリーナー本体に装着することができる。
【００１９】
請求項３に記載の発明によれば、係止リブの回転軌跡上に位置する場所に一対の係止凸部を設けて、係止凸部の間に形成された係止凹部で係止リブを保持することでさらに確実に保持することができる。また、請求項４の記載によれば、係止凸部にテーパーが形成されていることにより、よりスムーズに回転して保持することができる。
【００２０】
請求項５に記載の発明によれば、係止凸部がロック側に向かうにつれて傾斜面とされていることにより、スムーズにロック状態に移動することができるばかりでなく、係止凹部に嵌ったときのクリック感も得られる。
【００２１】
請求項６に記載の発明によれば、スリーブケースの一部にクリーナー本体を倒立した状態で保持するための脚部を設けたことにより、倒立した状態でも安定して保管することができる。また、請求項７に記載の発明によれば、スリーブケースの外周面の一部に平坦部を設けたことにより、横置きでも、転がらず安定して保管することができる。
【発明を実施するための最良の形態】
【００２２】
次に、本発明の実施形態について図面を参照しながら説明する。図１は本発明の一実施形態に係る粘着式クリーナーの分解斜視図であり、図２（ａ）および（ｂ）はクリーナー本体の正面図および側面である。
【００２３】
なお、粘着テープロールは、片面粘着テープの粘着面が表側を向くように多重に巻回された基本的な形態を備えていればよく、本発明において、粘着テープロールは任意的な構成要素であるため、その具体的な説明および図示は省略する。
【００２４】
この粘着式クリーナー１は、図示しない粘着テープロールを回転可能に支持するクリーナー本体２と、同クリーナー本体２の不使用時に粘着テープロールを覆うように取り付けられるスリーブケース３とを備えている。この例において、クリーナー本体２およびスリーブケース３はともに、合成樹脂の成型品からなる。
【００２５】
図２（ａ）および（ｂ）を併せて参照して、クリーナー本体２は、粘着テープロールを回転可能に支持する支持部４と、同支持部４の一端に一体的に形成されるグリップ５とを備えている。
【００２６】
この実施形態において、クリーナー本体２は、例えばポリエチレンなどの合成樹脂をブロー成形することにより、内部が中空な薄肉構造となっている。支持部４は、全体の軸長が粘着テープロールの軸長よりも長く形成された円筒体からなり、被清掃面に対して平行な軸線を備えている。
【００２７】
支持部４の軸方向の中央には、粘着テープロールの内周面を回転可能に支持するテープ支持面４１が設けられ、その両端側に粘着テープロールの抜け落ちを防止するフランジ部４２，４３が設けられている。
【００２８】
テープ支持面４１は、軸長が粘着テープロールの軸長とほぼ同じであり、かつ、その外径が粘着テープロールの内径よりも小径な円筒状に形成されている。この例において、テープ支持面４１は、単純は円筒状に形成されているが、例えば粘着テープロールの回転をスムーズにするため、テープ指示面４１の周方向に沿って環状リブなどを設けてもよい。
【００２９】
フランジ部４２，４３は、最大外径が粘着テープロールの内径とほぼ同じであるが、この例では、フランジ部４３はグリップ５側への抜け防止として、フランジ部４２よりも１ｍｍ大きく形成されている。テープ支持面４１とフランジ部４２，４３との間には、テープ支持面４１に対して鋭角的、この実施形態では直交する段差面４２１，４３１が設けられている。この段差面４２１，４３１に粘着テープロールの端縁が当接することで、粘着テープロールの抜け落ちが防止される。
【００３０】
フランジ部４２，４３は、両端から中央（テープ支持面４１）に向かって外径が漸次大きくなるようなテーパー４２２，４３２が設けられている。一方のフランジ部４２（図２（ａ）では左側）のテーパー４２２は、粘着テープロールの取付時に粘着テープロールを挿入しやすいように設けられており、他方のフランジ部４３（図２（ａ）では右側）のテーパー４３２は、後述するスリーブケース３をガイドする案内役をそれぞれ担っている。
【００３１】
グリップ５は、支持部４の一方の端部（図２（ａ）ではフランジ部３３側）から、支持部４とは離反する方向に向けて突設された棒状体からなり、支持部４の軸線に対して所定角度傾けられた状態で設けられることが好ましい。
【００３２】
この例において、グリップ５の傾斜角θは１０°であるが、傾斜角θは、この粘着式クリーナー１を倒立状態で保管したときに、全体の重心が支持部４内に存在する範囲内で設けられていることが好ましい。この範囲内であれば、倒立しても安定姿勢を保つことができる。
【００３３】
図１を併せて参照して、グリップ５は、手で握りやすく、かつ、ユーザーに正確な把持位置を認識させる目的として、断面楕円状（図２（ａ）では紙面垂直方向に扁平）に形成されている。この例において、グリップ５の表面には、所定間隔で滑り止め用の凹溝５１が設けられている。
【００３４】
グリップ５の他端側（反支持部４）には、この粘着式クリーナー１を吊り下げて保管するためのフック孔５２が一体的に設けられている。なお、フック孔５２の大きさや形状は、フックなどの形状に応じて適宜選択される。
【００３５】
クリーナー本体２には、スリーブケース３を粘着テープロールの外周に沿って取り付けるための第１ストッパ６と第２ストッパ７とが設けられている。第１ストッパ６は、支持部４とグリップ５との付け根部に設けられ、スリーブケース３のグリップ挿通孔３３内に沿って回転可能に挿通される第１円筒部６１と、同第１円筒部６１から突設された第１係止リブ６２とを備えている。
【００３６】
第１円筒部６１は、グリップ挿通孔３３よりも若干小径な外径を有を有する円筒体からなり、支持部４の軸線に沿って同軸的に設けられている。第１係止リブ６２は、第１円筒部６１の外周面から半径方向に沿って突設されており、この例では、図５に示すように、直径線上に左右対称に一対で設けられている。
【００３７】
第１係止リブ６２は、後述するスリーブケース３のグリップ挿通３３に形成された切欠部３４に挿通可能な大きさの凸リブからなり、この例において、第１係止リブ６２は第１円筒部６１に一対で設けられているが、少なくとも１つ設けられていればよい。
【００３８】
第２ストッパー７は、支持部４の自由端側（反グリップ側）に設けられており、スリーブケース３のグリップ挿通孔３３に沿って回転可能に軸支される第２円筒部７１と、同第２円筒部７１から突設された第２係止リブ７２とを備えている。
【００３９】
図２（ｂ）に示すように、第２円筒部７１は、グリップ挿通孔３３よりも若干小径な外径を有を有する円筒体からなり、支持部４の軸線に沿って同軸的に突設されている。第２係止リブ７２は、第２円筒部７１の外周面から半径方向に沿って突設され、第２円筒部７１を挟んで左右対称に一対で設けられている。
【００４０】
第２係止リブ７１は、後述するスリーブケース３のグリップ挿通孔３３に形成された切欠部３４に挿通可能な大きさの凸リブからなり、この例において、第２係止リブ７２は第２円筒部７１に一対で設けられているが、少なくとも１つ設けられていればよい。なお、この第２係止リブ７２は、上述した第１係止リブ６２と同じ形状である。
【００４１】
次に、図３（ａ）はスリーブケース３の部分断面正面図であり、図３（ｂ）は側面図であり、図３（ｃ）は図３（ｂ）のＡ−Ａ線断面図である。スリーブケース３は、内部に粘着テープロールを収納可能な収納部３１を有する円筒体からなり、スリーブケース３の一端には、粘着テープロールが挿通される粘着テープロール挿通口３２が開口されている。
【００４２】
この例において、スリーブケースの内周面には、粘着テープに対する接触面積を減らすためのリブ３１１が軸方向に沿って形成され、円周方向に沿って所定間隔で複数条設けられている。
【００４３】
スリーブケース３は、外周面がほぼ真円の円筒状に形成されているが、より好ましい態様としては、図４に示すように、外周面の一部を平坦に形成してもよい。これによれば、スリーブケース３が転がらないため、クリーナー本体２を横置き状態で保管することができる。
【００４４】
スリーブケース３の他端側には、少なくともグリップ５が挿通可能な大きさを有するグリップ挿通孔３３が設けられており、さらにスリーブケース３を倒立した状態で安定して保管することができるようにするための脚部３７が例えば９０°間隔で４箇所設けられている。
【００４５】
図３（ｂ）に示すように、グリップ挿通孔３３は、スリーブケース３の軸線方向に沿って同軸的に設けられており、その周縁には、各係止リブ６２，７２を通過可能な大きさを有する切欠部３４が所定間隔で、この例では９０°間隔で４箇所設けられている。
【００４６】
グリップ挿通孔３３の周縁に沿って各切欠部３４，３４の間には、上記各ストッパ６，７に対する係止手段としての係止凸部３５，３５がスリーブケース３とは離反する方向に突設されている。係止凸部３５，３５は、各係止リブ６２，７２の回転軌跡上に設けられている。
【００４７】
図３（ｃ）に示すように、各係止凸部３５，３５は、所定間隔をもって左右対称に配置されており、その間に各係止リブ６２，７２が係止される係止凹部３６が形成されている。係止凸部３５は、一端（切欠部３４側）から他端（係止凹部３６側）に向かうにつれて高さが漸次高くなるように所定角度傾斜して設けられている。
【００４８】
これによれば、スリーブケース３を回転して係止リブ６２，７２を係止凹部３６側に移動させてゆくと、係止リブ６２，７２が傾斜面に沿ってスムーズに係止凹部３６に導かれる。また、係止凸部３５と係止凹部３６の段差によって、クリック感が得られ、ユーザにロック状態を認識させることができる。
【００４９】
本発明のスリーブケース３は、クリーナー本体２に対して２通りの取付方法がある。初めに第１の取付手順について、図５を参照しながら説明する。第１の取付方法は、まず、スリーブケース３を開放部３２をクリーナー本体２のグリップ５側から差し込んでゆき、グリップ挿通孔３３からグリップ５を外に引き出す。
【００５０】
スリーブケース３を支持部４の端部に当接させるまで差し込んだのち、スリーブケース３を回して切欠部３４に第１ストッパ６の第１係止リブ６２を合わせ、第１係止リブ６２をスリーブケース３の外に引き出す。
【００５１】
この状態にてスリーブケース３（またはクリーナー本体２）をいずれかに回転すると、第１係止リブ６２は係止凸部３５の傾斜面を登ってゆき、ほぼ４５°回転させた位置で第１係止リブ６２は、係止凹部３６内に落とし込まれることにより、スリーブケース３はクリーナー本体２に固定される。
【００５２】
この第１の固定方法は、スリーブケース３が第１円筒部６１によって強固に支持されるため、例えば工場出荷状態や商品陳列する場合など粘着式クリーナー１を長期間にわたって保管する場合に好ましく用いられる。
【００５３】
次に、第２の取付手順について図６を参照しながら説明する。第２の取付手順は、まず、スリーブケース３の開放部３２を支持部４に向かって直接差し込んでゆき、グリップ挿通孔３３から第２ストッパ７の円筒部７１を差し込む。
【００５４】
この状態でスリーブケース３を回して切欠部３４に第２ストッパ７の第２係止リブ７２を合わせ、第２係止リブ７２をスリーブケース３の外に引き出す。最後に、第１の取付手順と同様に、スリーブケース３（またはクリーナー本体２）を４５°回転して、第２係止リブ７２を係止凹部３６内に落とし込むことにより、スリーブケース３はクリーナー本体２に固定される。
【００５５】
この第２の固定手順は、スリーブケース３が支持部４に直接取り付けられているため、取り外す際にスリーブケース３によって手を痛めることはない。したがって、簡易的な保管方法として用いることができる。
【００５６】
この実施形態において、スリーブケース３は合成樹脂製であるが、例えば金属製などであってもよいし、紙製であってもよい。その場合、スリーブケース３の内周面に粘着テープの粘着面が付着しないようにするため、樹脂でコーティングすることが好ましい。
【００５７】
また、この例において、切欠部３４は直径線上に対向的に一対に設けられているが、少なくとも１つの係止リブ６２，７２と、少なくとも１つの切欠部３４を備えていれば、保持することができる。
【図面の簡単な説明】
【００５８】
【図１】本発明の一実施形態に係る粘着式クリーナーの分解斜視図。
【図２】（ａ）上記実施形態のクリーナー本体の正面図，（ｂ）クリーナー本体の左側面。
【図３】（ａ）上記実施形態のスリーブケースの部分断面正面図，（ｂ）スリーブケースの左側面図，（ｃ）Ａ−Ａ線断面図。
【図４】スリーブケースの変形例を示す左側面図。
【図５】スリーブケースの第１取付手順を説明する説明図。
【図６】スリーブケースの第２取付手順を説明する説明図。
【符号の説明】
【００５９】
１  粘着式クリーナー
２  クリーナー本体
３  スリーブケース
４  支持部
５  グリップ
６  第１ストッパ
７  第２ストッパ
【図１】
0004674182.tif 000002
【図２】
0004674182.tif 000003
【図３】
0004674182.tif 000004
【図４】
0004674182.tif 000005
【図５】
0004674182.tif 000006
【図６】
0004674182.tif 000007